(57)【要約】本発明はマスカラパッケージに関し、マスカラパッケージは、マスカラ液を塗布すると同時にまつげを成形可能な発熱体を有する。本発明におけるマスカラパッケージは、マスカラ液を収容する容器と、前記容器と結合され、内部にバッテリーが装着され、外側に電力の供給を制御するスイッチが設けられる取っ手と、前記取っ手の下端部に形成され、内部に前記バッテリーから電力を受けて発熱する発熱体を内蔵するブラシ棒と、前記ブラシ棒の下端部に形成され、前記発熱体から熱を受けて発熱する発熱塗布部と、を含む。
2009532083.tif 000002
【特許請求の範囲】
【請求項１】
マスカラ液を収容する容器と、
前記容器と結合され、内部にバッテリーが装着され、外側に電力の供給を制御するスイッチが設けられる取っ手と、
前記取っ手の下端部に形成され、内部に前記バッテリーから電力を受けて発熱する発熱体を内蔵するブラシ棒と、
前記ブラシ棒の下端部に形成され、前記発熱体から熱を受けて発熱する発熱塗布部と、
を含むことを特徴とするマスカラパッケージ。
【請求項２】
前記発熱体は中心に支持具を含み、前記支持具を取り囲むコイル状になっていることを特徴とする請求項１に記載のマスカラパッケージ。
【請求項３】
前記取っ手は、内部で結合された支持具と、スイッチと発熱体を電気的に連結する発熱体連結具が形成された支持板と、を含むことを特徴とする請求項２に記載のマスカラパッケージ。
【請求項４】
前記支持具は、前記支持板に対して一体型または分離型に形成されることを特徴とする請求項３に記載のマスカラパッケージ。
【請求項５】
前記取っ手は、スイッチに隣接した領域にスイッチの制御状態を示す表示部をさらに含むことを特徴とする請求項１に記載のマスカラパッケージ。
【請求項６】
前記表示部は発光体であることを特徴とする請求項５に記載のマスカラパッケージ。
【請求項７】
前記バッテリーは、消耗型電池及び充電式電池の中で少なくとも一つでなることを特徴とする請求項１に記載のマスカラパッケージ。
【請求項８】
前記発熱塗布部は、中心に塗布軸を含み、前記塗布軸はブラシ棒に対して一体型または分離型に形成されることを特徴とする請求項１に記載のマスカラパッケージ。
【請求項９】
前記塗布軸は、熱伝導性物質でなることを特徴とする請求項８に記載のマスカラパッケージ。
【請求項１０】
前記発熱塗布部は、前記塗布軸を中心に、外周面の全体面または一部面に植え込まれた半球形のブラシと櫛を含んでなることを特徴とする請求項８に記載のマスカラパッケージ。
【請求項１１】
前記ブラシと櫛は、互いに同じ長さで植え込まれ、端部が水平断面の形態であることを特徴とする請求項１０に記載のマスカラパッケージ。
【請求項１２】
前記ブラシと櫛は、多様な長さを持つことを特徴とする請求項１０に記載のマスカラパッケージ。
【請求項１３】
前記発熱塗布部は、前記塗布軸を中心に、外周面に植え込まれた球形のブラシを含んでなることを特徴とする請求項８に記載のマスカラパッケージ。
【請求項１４】
前記球形のブラシは、同じ長さで植え込まれ、端部が平らな面からなることを特徴とする請求項１３に記載のマスカラパッケージ。
【請求項１５】
前記球形のブラシは、多様な長さを有するように植え込まれることを特徴とする請求項１３に記載のマスカラパッケージ。
【請求項１６】
前記発熱塗布部は、前記塗布軸を中心に、外周面に等間隔で植え込まれた複数の櫛とそれぞれの櫛の間に植え込まれた多数のブラシを含んでなることを特徴とする請求項８に記載のマスカラパッケージ。
【請求項１７】
前記櫛は、熱伝導性物質でなることを特徴とする請求項１０または請求項１６に記載のマスカラパッケージ。
【請求項１８】
マスカラ液を収容する容器と、
前記容器と結合され、内部にバッテリーが装着され、外側に電力の供給を制御するスイッチ及び前後方向に移送される作動部材が設けられる取っ手と、
前記取っ手の前端部と前記作動部材の間に装着される第１弾性部材と、
前記作動部材及び第１弾性部材によって前記取っ手の前後方向に移送され、中空部を持つ移送部材と、
前記取っ手の前端部から突設され、前記移送部材を取り囲むように形成されるブラシ棒と、
前記ブラシ棒の前方に形成された固定ピンによって固定結合され、前記移送部材の移送によって開閉してまつげを成形する成形部材と、
前記成形部材と結合され、前記バッテリーから電力を受けて発熱する発熱体と、
を含むことを特徴とするマスカラパッケージ。
【請求項１９】
前記取っ手は、内部に前記移送部材の中空部を貫いて形成され、前記スイッチと発熱体を電気的に連結する発熱体連結具が形成された支持板を含むことを特徴とする請求項１８に記載のマスカラパッケージ。
【請求項２０】
前記移送部材の前端は、前記成形部材にくさび作用を引き起こすために、中空部を中心に、外側に行くほど傾く傾斜面に形成されることを特徴とする請求項１８に記載のマスカラパッケージ。
【請求項２１】
前記成形部材は、やっとこ状に構成された第１及び第２成形部材からなり、前記第１及び第２成形部材は、容易に開閉するために弾性力を与える第２弾性部材を含み、前記第１及び第２成形部材には、前記移送部材のくさび作用によって開閉するために、後端に行くほど傾斜角が広くなる傾斜面に形成されていることを特徴とする請求項２０に記載のマスカラパッケージ。
【請求項２２】
前記発熱体は、前記第２成形部材と接触する前記第１成形部材の一面に結合されていることを特徴とする請求項２１に記載のマスカラパッケージ。
【請求項２３】
前記第１及び第２成形部材は少なくともいずれか一面に形成された櫛またはブラシを含むことを特徴とする請求項２１に記載のマスカラパッケージ。
【請求項２４】
前記第１及び第２成形部材の櫛は、前記第１及び第２成形部材が互いに当接する場合に、互いに噛み合う多数の鋸歯状を有することを特徴とする請求項２３に記載のマスカラパッケージ。
【請求項２５】
前記成形部材は、
互いに当接してまつげを加圧して成形するように、前記移送部材の前端に交差して結合されたやっとこ状の第１及び第２成形部材と、
前記第１及び第２成形部材を互いに離すために、前記交差地点の前方に位置する固定ピンと、
を含むことを特徴とする請求項１８または請求項２４に記載のマスカラパッケージ。
【請求項２６】
前記成形部材は、
互いに当接してまつげを加圧して成形するように、前記移送部材の前端に交差して結合されたやっとこ状の第１及び第２成形部材と、
前記第１及び第２成形部材を互いに離すために、前記第１及び第２成形部材の間に装着された第３弾性部材と、
を含むことを特徴とする請求項１８または請求項２４に記載のマスカラパッケージ。
【請求項２７】
前記成形部材は、
互いに当接してまつげを加圧して成形するように、前記移送部材の前端に平行に結合され、前記ブラシ棒内の成形部材の一端部が互いに徐々に当接していく傾斜面になっっているやっとこ状の第１及び第２成形部材と、
前記第１及び第２成形部材を互いに離すために、前記当接地点の前方に位置する固定ピンと、
を含むことを特徴とする請求項１８または請求項２４に記載のマスカラパッケージ。
【請求項２８】
前記成形部材は、
互いに当接してまつげを加圧して成形するように、前記移送部材の前端に平行に結合されたやっとこ状の第１及び第２成形部材と、
前記第１及び第２成形部材を互いに離すために、ブラシ棒内の成形部材の一端部の当接地点の前方に位置する固定ピンと、
を含み、
前記ブラシ棒内の第２成形部材の上部には、前記第１成形部材と接触する傾斜面が形成されていることを特徴とする請求項１８または請求項２４に記載のマスカラパッケージ。
【発明の詳細な説明】
【技術分野】
【０００１】
本発明はマスカラに関し、より詳しくは、マスカラ液を塗布すると当時に、まつげを成形する発熱体（heating body）を備えたマスカラパッケージに関する。
【背景技術】
【０００２】
一般に、マスカラ（ｍａｓｃａｒａ）は女性が使用する化粧品の一種であり、特に目を引き立てるために、まつげに多様な色相のマスカラ液を塗るのに使用されるものであって、マスカラ液を収容する容器と、前記容器を開閉して把持するための取っ手と、前記取っ手の下部に突出する棒状のブラシ棒及び前記ブラシ棒の下端部に形成された塗布部とからなり、前記取っ手と容器の結合または分離によって、前記塗布部にマスカラ液をつけて使用している。
【０００３】
ここで、まつげにマスカラ液を塗布する手段である塗布部のブラシの長さと形態によって、まつげに対するボリューム効果（ｖｏｌｕｍｅ：まつげがふんだんに見えるようにする効果）、カール効果（ｃｕｒｌ：まつげの端を上向きにカールする効果）、ロングラッシュ効果（ｌｏｎｇ ｌａｓｈ：まつげの長さが長く見えるようにする効果）、クリーン効果（ｃｌｅａｎ：まつげが集まらないようにする効果）などの多様な機能を提供するので、前記塗布部は多様な形態に製作されているのが実状である。
【発明の開示】
【発明が解決しようとする課題】
【０００４】
しかし、このように、マスカラ液を塗布部につけてまつげに塗って所望のまつげ形態を作るのは、その使用に慣れていない使用者にとっては煩わしくて難しいだけではなく、化粧時間が長くなる問題点があった。
【０００５】
また、化粧の後、汗や涙などによって、まつげに塗られたマスカラ液が落ちて、むしろ美容効果を半減させることになる場合もあり、落ちたマスカラ液が目を刺激して目の健康をこわすことになる問題点があった。
【０００６】
したがって、最近には、前記のような問題点の発生を防止し、まつげ化粧を短時間に終えるための手段の一つとしてコテ（curling tong）を使用している。
【０００７】
すなわち、前記コテを使用してまつげを所望の形状に予め成形した後、マスカラ液を塗布することで、マスカラ液が目の周りに広がる問題なしにまつげ化粧を迅速に終えることができる。
【０００８】
しかし、コテの使用に慣れていない使用者にとっては、むしろ化粧時間が長くなる問題点があった。
【０００９】
また、前記コテはまつげ化粧に必要なマスカラ液を有しないので、外出、旅行などの理由で、携帯が必要なとき、コテとマスカラを別々に携帯するため、携帯物品の嵩が増加することになる問題点があった。
【００１０】
このような問題点を解決するために、大韓民国実用新案登録第３９７１４６号に開示されているように、コテとマスカラパッケージが一体型に形成されているまつげ成形器が提案されたことがある。
【００１１】
前記まつげ成形器は、コテとマスカラが一体型に形成されて、携帯の簡便さを有する利点はあったが、やっぱりコテでまつげを一度カールされた後にさらにマスカラ液を塗らなければならないので、まつげ化粧のために、マスカラとコテを交互に使用しなければならない使用上の問題点が依然として発生した。
【００１２】
また、前記まつげ成形器は、マスカラを長期間使用しないか、低温でマスカラ液が凝固して、マスカラ液を塗布する際に、ミスが生じてしまう。
【課題を解決するための手段】
【００１３】
本発明の利点は、マスカラ液を塗布すると同時にまつげを成形可能な発熱体（heating body）を備えたマスカラパッケージを提供することである。
【００１４】
本発明の他の利点は、やっとこ状（tong）の成形部材を備えることで、まつげを容易に成形することができる発熱体を備えたマスカラパッケージを提供することにある。
【００１５】
本発明のさらに他の利点は、マスカラ液をまつげに均一に塗布するために、マスカラ液の凝固を防止する発熱体を備えたマスカラパッケージを提供することにある。
【００１６】
本発明の一面によれば、発熱体を備えたマスカラパッケージは、マスカラ液を収容する容器と、前記容器と結合され内部にバッテリーが装着され外側に電力の供給を制御するスイッチが設けられる取っ手と、前記取っ手の下端部に形成され内部に発熱体を内蔵するブラシ棒と、前記バッテリーから電力を受けて発熱する発熱体と、前記ブラシ棒の下端部に形成され前記発熱体から熱を受けて発熱する発熱塗布部と、を含む。
【００１７】
本発明の他の面によれば、前記発熱体は中心に支持具を含み、前記支持具を取り囲むようにコイル状に形成されている。
【００１８】
本発明のさらに他の面によれば、前記取っ手は、内部で結合される支持具と、前記スイッチと発熱体を電気的に連結する発熱体連結具が形成された支持板とを含み、前記支持具は、前記支持板に対して一体型または分離型に形成されることができる。
【００１９】
本発明のさらに他の面によれば、前記取っ手は、前記スイッチに隣接した領域に前記スイッチの制御状態を示す表示部をさらに含み、この際、前記表示部は発光体であることができる。
【００２０】
本発明のさらに他の面によれば、前記バッテリーは、消耗型電池及び充電式電池の中で少なくともどの一つでなることができる。
【００２１】
本発明のさらに他の面によれば、前記発熱塗布部は、中心に塗布軸を含み、前記塗布軸はブラシ棒に対して一体型または分離型に形成されることができ、この際、前記塗布軸は熱伝導性物質によりなる。
【００２２】
本発明のさらに他の面によれば、前記発熱塗布部は、前記塗布軸を中心に外周面の全体面または一部面に植え込まれた半球形のブラシと櫛を含んでなり、前記櫛は熱伝導性物質でなることができる。
【００２３】
本発明のさらに他の面によれば、前記ブラシと櫛は、それぞれ同じ長さで植え込まれ、それらの端部は平らな面をを有する。または、前記ブラシと櫛は、多様な長さを持つことができる。
【００２４】
本発明のさらに他の面によれば、前記発熱塗布部は、前記塗布軸を中心に外周面に植え込まれたブラシを含んでなり、前記ブラシは同じ長さで植え込まれ、それらの端部は平らな面を有する。または、前記ブラシは、多様な長さを有するように植え込まれている。
【００２５】
本発明のさらに他の面によれば、前記発熱塗布部は、前記塗布軸を中心に外周面に等間隔で植え込まれた複数の櫛と前記各櫛の間に植え込まれた多数のブラシを含んでなり、前記櫛は、熱伝導性物質でなることができる。
【００２６】
本発明のさらに他の面によれば、発熱体を備えたマスカラパッケージは、マスカラ液を収容する容器と、前記容器と結合され、内部にバッテリーが装着され、外側に電力の供給を制御するスイッチ及び前後方向に移送される作動部材が設けられる取っ手と、前記取っ手の前端部と前記作動部材の間に装着される第１弾性部材と、前記作動部材及び第１弾性部材によって前記取っ手の前後方向に移送され、中空部を持つ移送部材と、前記取っ手の前端部から突設され、前記移送部材を取り囲むように形成されるブラシと、前記ブラシ棒の下方に形成された固定ピンによって固定され、前記移送部材の移送によって開閉してまつげを成形する成形部材と、前記成形部材と結合され、前記バッテリーから電力を受けて発熱する発熱体と、を含む。
【００２７】
本発明のさらに他の面によれば、前記取っ手は、内部に前記移送部材の中空部を貫いて形成され、前記スイッチと発熱体を電気的に連結する発熱体連結具が形成された支持板を含むことができる。
【００２８】
本発明のさらに他の面によれば、前記移送部材の前端は、成形部材をくさびで止めるように、中空部の周りの外側部分に向かって傾斜している。
【００２９】
本発明のさらに他の面によれば、前記成形部材はやっとこ状に構成された第１及び第２成形部材からなり、前記第１及び第２成形部材は第２弾性部材を含み、前記第１及び第２成形部材の後端には、前記移送部材のくさび作用によって開閉するための傾斜面が形成されている。
【００３０】
本発明のさらに他の面によれば、発熱体は、前記第２成形部材と接触する第１成形部材の一方面に結合され、櫛は、第１成形部材と接触する第２成形部材の一方面に結合されている。
【発明を実施するための最良の形態】
【００３１】
以下、添付図面を参照して、本発明の実施例について、本発明が属する技術分野で通常の知識を持った者が容易に実施することができるほどに詳細に説明する。明細書の全般にわたって類似の部分に対しては同じ図面符号を併記する。
【００３２】
図１は本発明の第１実施形態における発熱体を備えたマスカラパッケージの構造を概略的に示す分解斜視図であり、図２は本発明の第１実施形態におけるマスカラパッケージの構造を示す縦断面図であり、図３は本発明の第１実施形態におけるマスカラパッケージのバッテリー及び支持板を示す斜視図である。
【００３３】
まず、図１〜図３に示すように、本発明による発熱体を備えたマスカラパッケージ１００は、使用者が手で把持するための取っ手１１と、取っ手１１の下部に突出したブラシ棒２３と、ブラシ棒２３の下部に形成された発熱塗布部２７と、マスカラ液を収容する容器３１とから構成される。
【００３４】
取っ手１１は、内部に電力を供給するためのバッテリー１２が装着され、外側にバッテリー１２から印加される電力の供給を制御するスイッチ１７が設けられている。さらに、取っ手１１の下部の内側には、マスカラ液を収容する容器３１と結合するための雌ねじ部２２が形成されている。
【００３５】
この際、バッテリー１２は取っ手１１の内部に備えられ、前記ブラシ棒２３の内部に形成された発熱体２５を加熱するための電力を供給する。
【００３６】
一方、バッテリー１２は、一般的に使用されるアルカリ乾電池及び酸化銀電池などの消耗型電池を使用することが好ましい。この際、前記消耗型電池を使えば、マスカラパッケージ１００の嵩を減らすことができるので、外出の際、携帯し容易な利点がある。
【００３７】
取っ手１１の内部には支持板１５が形成され、支持板１５は取っ手１１の下部に突出するように長く形成されている。
【００３８】
支持板１５の一方には、バッテリー１２から印加される電圧の供給を制御するスイッチ１７が設けられ、支持板１５の他方には、支持板１５を支持するためのＵ字形の支持部１６が形成されている。
【００３９】
この際、バッテリー１２の（＋）端子は支持板１５の一方側に形成された（＋）接地端子に連結され、（−）端子は支持板１５を貫いて形成された（−）連結端子２０から延設された（−）接地端子１４に連結される。
【００４０】
スイッチ１７の下部にはスイッチ端子１８が形成され、スイッチ１７の移動によって、バッテリー１２からの電力供給が、オン／オフ（Ｏｎ／Ｏｆｆ）される。
【００４１】
スイッチ１７がバッテリー１２側に移動すれば、スイッチ端子１８の一端部は前記（−）連結端子に連結され、他端部は支持板１５の他方側に形成された（＋）連結端子１９から分離されてオフ（Ｏｆｆ）になることにより、前記電力の供給を遮断させる。
【００４２】
スイッチ１７がブラシ棒２３側に移動すれば、スイッチ端子１８の一端部は前記（−）連結端子に連結され、他端部は（＋）連結端子１９に連結されてオン（Ｏｎ）になることにより、発熱体２５に電力を供給する。
【００４３】
また、スイッチ１７がオン（Ｏｎ）になる場合、スイッチ１７に隣接した領域に形成され、（＋）連結端子１９に連結された表示部２１が発光して前記電力の供給を使用者に表示する。表示部２１は、発光ダイオードなどの発光体で形成することができる。
【００４４】
この際、（＋）接地端子１３と（−）連結端子１９は、支持板１５に形成され、スイッチ１７と発熱体２５は発熱体連結具２６を介して電気的に連結される。
【００４５】
ブラシ棒２３は、取っ手１１の下端部に形成され、容器３１内に挿入されマスカラ液を塗布するように所定の長さを有し、ブラシ棒２３は、容器３１から容易に出入りできるように、容器３１の開口部３２より小さな直径を有するバー状または棒状を成す。
【００４６】
また、ブラシ棒２３は、内部に、バッテリー１２から電力を受けて発熱する発熱体２５を内蔵している。
【００４７】
発熱体２５は、その中心部に形成された支持具２４を含み、支持具２４をコイル状に取り囲むように形成され、発熱体２５は、前記スイッチがオン（Ｏｎ）になる場合、発熱体連結具２６を介してスイッチ１７及びバッテリー１２と電気的に連結されることによって、バッテリー１２から電力を受けることになる。
【００４８】
そのとき、コイル状の発熱体２５は、印加された電流による抵抗によって発熱することになる。この際、前記発熱体２５は４０℃〜５０℃範囲の温度で発熱する。
【００４９】
発熱体２５の中心部に形成されている支持具２４は、発熱体２５から発生した熱によって加熱され、発生した熱は発熱塗布部２７に伝導される。
【００５０】
支持具２４は支持板１５に対して分離型に形成され、熱を迅速に伝達する熱伝導性に優れた熱伝導性物質で形成することができるので、発熱にかかる時間を短縮させることができる。
【００５１】
したがって、支持具２４は支持板１５に対して一体型または分離型に形成することができる。
【００５２】
発熱塗布部２７は、ブラシ棒２３の端部に形成され、中心には、ブラシ棒２３の内部に形成された支持具２４と結合される塗布軸２８が形成されている。
【００５３】
また、発熱塗布部２７は、塗布軸２８を中心とし、その外周面にブラシ２９及び櫛３０が形成され、支持具２４及び発熱体２５から熱を受けて発熱する。
【００５４】
発熱塗布部２７の塗布軸２８は、スイッチ１７がオン（Ｏｎ）になる場合、発熱した支持具２４及び発熱体２５によって発生した熱を受けて発熱することになる。
【００５５】
そして、塗布軸２８の外周面に形成された櫛３０は、発熱した塗布軸２８の熱によって加熱されて発熱する。
【００５６】
マスカラパッケージ１００を使用する使用者は、加熱した櫛３０を使用してまつげを成形すれば、櫛３０の熱によって、まつげをカール、ロングラッシュなどの所望の形状に成形することが容易である。
【００５７】
また、容器内のマスカラ液が長期間使用されてないか、温度が低下くなった場合、マスカラ液は固くなる可能性が高い。この場合、マスカラ液は、発熱した塗布軸２８及び櫛３０を用いて溶融させることができるので、より経済的な利点がある。
【００５８】
一方、塗布軸２８は、ブラシ棒２３から分離型に形成して、使用者が所望の形態の発熱塗布部２７を塗布軸２８に結合して使用することができるので、機能上の利点がある。したがって、塗布軸２８は、ブラシ棒２３に対して一体型または分離型に形成することができる。
【００５９】
また、塗布軸２８及び櫛３０は、発熱体２５によって発生した熱を迅速に伝導する熱伝導性物質でなることが好ましい。
【００６０】
容器３１は、内部に、まつげに多様な色相及びボリューム感を与えるためのマスカラ液を収容し、ブラシ棒２３が容易に出入りできるように所定大きさの直径を有する開口部３２、及び取っ手１１と結合するための雄ねじ部３３が形成されている。
【００６１】
この際、マスカラ液を収容する容器３１は、取っ手１１から分離して個別的に販売することができるので、消費者が一般的に使用する黒色のマスカラ液はもちろんのこと、パーティーまたは特別な日のためのポイントメイクアップ（Ｐｏｉｎｔ Ｍａｋｅ−ｕｐ）のために、多様な色のマスカラ液を一層便利に購入することができる。
【００６２】
このような構造を有するマスカラパッケージ１００を使用して化粧する方法は、まず、スイッチ１７をブラシ棒２３側に移動させてオン（Ｏｎ）にすれば、発熱体２５は、オン（Ｏｎ）されたスイッチ１７によってバッテリー１２から電力を受けて発熱し、支持具２４と発熱塗布部２７の塗布軸２８及び櫛３０は発熱体２５から発生した熱を順次に受けて発熱する。
【００６３】
その後、使用者は発熱した櫛３０を利用してまつげを所望の形状に成形した後、ブラシ２９でまつげにマスカラ液を塗布してまつげを所望の形状に成形する。
【００６４】
したがって、マスカラパッケージは、ブラシ２９及び櫛３０を同時に使用して、まつげに対してボリューム、カール、ロングラッシュ及びクリーンなどの多様な機能を容易に付与することができ、長期間マスカラを使用しなくて容器３１内で固まっているマスカラ液を溶かして使用することができるので、より経済的に使用することができる。
【００６５】
また、図２２は本発明によるバッテリーの変形例を示す斜視図である。図２２に示すように、バッテリー１２として充電式電池を使用して装着台４０にマスカラパッケージ１００を装着して、化粧の前後に充電することができるので、消耗型電池より経済的な利点がある。
【００６６】
これにより、バッテリー１２は、消耗型電池または充電式電池の中で少なくともいずれか一つでなることが好ましい。
【００６７】
つぎに、図４〜図１２に基づいて、本発明に適用可能な発熱塗布部２７の種類について詳細に説明する。
【００６８】
第１実施形態の第１変形例：
まず、図４は本発明の第１実施形態の第１変形例による発熱塗布部の構造を示す低面図、図５及び図６は本発明の発熱塗布部の構造を示す断面図である。
【００６９】
本発明の第１実施形態による発熱塗布部２７は、図４に示すように、ブラシ棒２３の下端部に形成された塗布軸２８を中心に半球形に植え込まれたブラシ２９と櫛３０とからなり、スイッチ１７がオン（Ｏｎ）になり、発熱体２５が発熱すれば、発熱した発熱体２５の熱によって塗布軸２８が加熱し、加熱した塗布軸２８によって櫛３０が発熱することになる。
【００７０】
その後、使用者が発熱した櫛３０を使用してまつげを所望の形状に成形した後、ブラシ２９を使用してまつげにマスカラ液を塗布すれば、マスカラ液が迅速に乾燥して落ちないので、汗または涙などによってマスカラ液が広がったり流れたりすることを防止することができる。
【００７１】
また、発熱した櫛３０を使えば、その熱によってマスカラ液をまつげにより確かに密着させることができ、まつげにカールまたはロングラッシュなどの多様な効果を与えることができる。
【００７２】
図５に示すように、発熱塗布部２７のブラシ２９と櫛３０は、それぞれ同じ長さを有するように植え込まれ、ブラシ２９と櫛３０の端部は平らな面（flat surface）に形成され、容器３１の開口部３２に容易に出入りできるように、ブラシ２９と櫛３０の下端部はますます短くなる形態である。
【００７３】
また、図６は図５に示した発熱塗布部２７の変形例であって、櫛３０の長さは変形せずに、ブラシ２９を塗布軸２８の中心に行くほど短くなり、さらに塗布軸２８の下端部に行くほど長くなる多様な長さで植え込んで、短いまつげに効果的にボリューム感を与えることができる。
【００７４】
また、櫛３０は、発熱体２５によって発生した熱を迅速に受けるために、熱伝導性に優れた熱伝導性物質でなることが好ましい。
【００７５】
一方、図示されていないが、発熱塗布部２７のブラシ２９と櫛３０は、塗布軸２８を中心に外周面の一部に植え込まれることができる。
【００７６】
第１実施形態の第２変形例：
図７は本発明の第１実施形態の第２変形例における発熱塗布部の構造を示す底面図であり、図８及び図９は発熱塗布部の構造を示す断面図である。
【００７７】
図７に示すように、発熱塗布部２７は塗布軸２８を中心に、植え込まれたブラシ２９のみでなる。
【００７８】
この際、塗布軸２８は発熱体２５から伝導された熱によって加熱されて発熱し、ブラシ２９によってまつげにマスカラ液を塗布する場合、加熱した塗布軸２８によりまつげが成形及び乾燥され、これにより、第１変形例の櫛３０と同様な効果を得ることができる。
【００７９】
また、図８に示すように、ブラシ２９は同じ長さで植え込まれ、その端部が平らな面を形成しており、容器３１の開口部３２に容易に出入りできるように、その下端部のブラシ２９は徐々に短くなる形態を有する。
【００８０】
また、図９に示すように、ブラシ２９を、塗布軸２８の中心に行くほど短くなり、さらにその下端部に行くほど長くなる多様な長さに植え込むことで、まつげに効果的にマスカラ液を塗布するとともに、塗布軸２８を利用してカール及びロングラッシュなどの効果を与えることができる。
【００８１】
第１実施形態の第３変形例：
図１０は本発明の第１実施形態の第３変形例における発熱塗布部の構造を示す底面図、図１１及び図１２は発熱塗布部の構造を示す断面図である。
【００８２】
図１０に示すように、発熱塗布部２７は、塗布軸２８を中心に、等間隔で植え込まれた複数の櫛３０と、各櫛３０の間に植え込まれた多数のブラシ２９とからなる。この際、発熱塗布部２７は、櫛３０によってまつげを容易に成形するとともに、ブラシ２９でマスカラ液をまつげに塗布することができる。
【００８３】
また、図１１及び図１２に示すように、ブラシ２９は、前述したように、同じ長さで植え込まれ、その端部が平らな面を形成するか、あるいは塗布軸２８の中心に行くほど短くなり、さらにその下端部に行くほど長くなる多様な長さで植え込まれることができる。
【００８４】
この際、櫛３０は、発熱体２５によって発生する熱を迅速に受けるために、熱伝導性に優れた熱伝導性物質でなることが好ましい。
【００８５】
一方、図６、図９及び図１２のブラシ２９の長さが塗布軸２８の中心に行くほど短くなり、その端部に行くほど短くなる形状は、説明の便宜のためのもので、ブラシ２９の長さはこれに限定されなく、その長さを多様に変形することが可能である。
【００８６】
また、本発明による発熱塗布部２７の種類は、第１実施形態の第１〜第３変形例に限定されることなく、使用者の特性及び性向によって交替可能なすべてのブラッシュ部が可能である。
【００８７】
以下、添付図面を参照して、本発明の第２実施形態におけるマスカラパッケージについて詳細に説明する。
【００８８】
第２実施形態：
図１３は本発明の第２実施形態におけるマスカラパッケージの構造を示す縦断面であり、図１４はその動作図であり、図１５〜図１７は本発明の第２実施形態における成形部材２３０の構造を示す図である。なお、上記実施の形態と同一の構成に関する説明は省略する。
【００８９】
まず、図１３に示すように、本発明の第２実施形態におけるマスカラパッケージ２００は、使用者が手で把持するための取っ手２１１と、取っ手２１１の前端部から突設されたブラシ棒２２５と、ブラシ棒２２５の前方に形成され、発熱体２３３が結合され、作動部材２２２の動作によって開閉する成形部材２３０と、マスカラ液を収容する容器２３５とから構成される。
【００９０】
取っ手２１１は、内部に電力を供給するためのバッテリー２１２が装着され、外側にバッテリー２１２から印加される電力の供給を制御するスイッチ２１７、及び取っ手２１１を前後方向に移送される作動部材２２２が設けられる。
【００９１】
この際、取っ手２１１の内部には支持板２１５が形成されており、支持板２１５はブラシ棒２２５の内部に沿って延伸して形成されている。
【００９２】
作動部材２２２はスイッチ２１７と対応する部分に形成され、取っ手２１１の前端部と作動部材の間には、作動部材２２２が前後方向に容易に移送できるように、弾性力を供給する第１弾性部材２２３が装着されている。
【００９３】
また、第１弾性部材２２３と接触する作動部材２２２の前端には、移送部材２２６が設けられ、移送部材２２６は、作動部材２２２に連結され、作動部材２２２の作動によって前後方向に移送される。
【００９４】
移送部材２２６には中空部が形成され、中空部には支持板２１５が延設され、支持板２１５の上部には、バッテリー２１２から印加される電力、成形部材２３０に結合されて発熱する発熱体２３３に供給するための発熱体連結具２２７が形成される。
【００９５】
そして、成形部材２３０は、移送部材２２６の前端にやっとこ状（tong）に結合され、作動部材２２２の移送によって移送される移送部材２２６によって開閉して使用者のまつげをつまむことにより、まつげを容易に成形することができる。
【００９６】
つぎに、添付図面を参照して、本発明の第２実施形態に適用可能な成形部材の種類について詳細に説明する。
【００９７】
第２実施形態の第１変形例：
図１３に示すように、移送部材２２６の前端は成形部材２３０にくさび作用を引き起こすために、中空部を中心に外側に行くほど傾くように形成されている。
【００９８】
また、成形部材２３０は、やっとこ状に構成された第１及び第２成形部材２３１，２３２からなり、第１及び第２成形部材２３１，２３２は、ブラシ棒２２５の前方に形成された固定ピン２２８によって固定結合され、移送部材２２６の移送によって開閉するやっとこ状に構成される。
【００９９】
第１及び第２成形部材２３１，２３２は、容易に開閉するように弾性力を与える第２弾性部材２２９を含み、成形部材２３０が、移送部材２２６のくさび作用によって開閉するために、後端に行くほど傾斜角が広くなる傾斜面に形成される。
【０１００】
この際、第２成形部材２３２と接触する第１成形部材２３１の一面には発熱体２３３が結合され、第１成形部材２３１と接触する第２成形部材２３２の一面には櫛２３４が形成される。
【０１０１】
一方、図１５に示すように、第１及び第２成形部材２３１，２３２は、まつげをより容易に成形するために、それぞれ、少なくともいずれか一面に櫛２３４ａ，２３４ｂを形成することが好ましい。
【０１０２】
この際、櫛２３４ａ，２３４ｂは、最適には成形部材２３０の第１及び第２成形部材２３１，２３２が互いに当接する面に多数の鋸歯状に形成され、図１６に示すように、櫛２３４ａ，２３４ｂは成形部材２３０が互いに当接して閉まる場合、互いに噛み合うように配置されることが好ましい。ここで、櫛２３４ａ，２３４ｂは、山形の鋸歯状に形成されることが好ましい。
【０１０３】
したがって、使用者は、第１及び第２成形部材２３１，２３２に形成された櫛２３４ａ，２３４ｂを利用して容易にまつげをつまむことができ、これを曲げてあげるかまたはマスカラ液を塗布する成形を行うことができる。
【０１０４】
また、より容易にまつげを成形するために、図１７に示すように、成形部材２３０の当接しない面、つまり櫛２３４ａ，２３４ｂが形成されていない少なくともいずれか一面にブラシ２３４ｃを形成する。この際、使用者は、櫛２３４ａ，２３４ｂを利用してまつげを曲げて上げた後、ブラシ２３４ｃを使用してマスカラ液及びまつげ栄養剤などの水溶性または油用性化粧液を塗布することにより、まつげ化粧を一層容易になすことができる利点がある。
【０１０５】
特に、櫛２３４ａ，２３４ｂまたはブラシ２３４ｃは、射出物だけでなく、マスカラにおいて通常に使用されるすべての材質の櫛またはブラシを使用して形成することができる。
【０１０６】
上述した構成を有するマスカラパッケージ２００は、図１４に示すように、スイッチ２１７を取っ手２１１の前方に移送させれば、表示部２２１がターンオンされて発光し、発熱体連結具２２７は、バッテリー２１２から供給される電力を発熱体２３３に供給して発熱体２３３を加熱させる。
【０１０７】
発熱体２３３が加熱すれば、使用者は成形すべきまつげを第１及び第２成形部材２３１，２３２の間に位置させた後、作動部材２２２を取っ手２１１の前方に移送させ、第１及び第２成形部材２３１，２３２を利用してまつげをつまむ。
【０１０８】
その後、取っ手２１１を曲げて上げれば、加熱された発熱体２３３によってまつげの形状が容易に変わるので、使用者はまつげを所望の形状に容易に成形することができ、成形部材２３０に形成されたブラシ２３４ｃでまつげにマスカラ液を塗布することによって、まつげにボリューム感を与えることができる利点がある。
【０１０９】
第２実施形態の第２変形例：
図１８は本発明の第２実施形態の第２変形例におけるマスカラパッケージの構造を示す縦断面図である。
【０１１０】
図１８に示すように、本発明の第２実施形態の第２変形例によるマスカラパッケージ２００の移送部材２２６は、中空部が形成され、中空部には支持板２１５が延設され、支持板２１５の上部には、バッテリー２１２から印加される電力を前記発熱体２３３に供給するための発熱体連結具２２７が形成されている。
【０１１１】
成形部材２３０は、互いに当接してまつげを加圧して成形するように、移送部材２２６の前端に交差して結合されたやっとこ状の第１及び第２成形部材２３１，２３２からなる。この際、第１及び第２成形部材２３１，２３２は、移送部材２２６の前端に接着剤などによって結合されるか、あるいは移送部材２２６の前端に延設されることができる。
【０１１２】
また、成形部材２３０は、第１及び第２成形部材２３１，２３２が容易に開くようにするために、これらの交差地点の前方に固定ピン２２８ａを形成することにより、第１及び第２成形部材２３１，２３２の交差地点における交差角は、固定ピン２２８ａによって徐々に広くなり、これにより、成形部材２３０が開くようにすることができる。
【０１１３】
上述のような構成を有するマスカラパッケージ２００は、スイッチ２１７を取っ手２１１の前方に移送することにより、表示部２２１がターンオンされて発光し、発熱体連結具２２７はバッテリー２１２から供給される電力を発熱体２３３に供給して発熱体２３３を加熱する。
【０１１４】
その後、使用者は、自分のまつげを第１及び第２成形部材２３１，２３２上に置き、まつげを第１及び第２成形部材２３１，２３２によりはさみむ。次いで、作動部材２２２を取っ手２１１のバッテリー２１２側に移送させれば、作動部材２２２の移送によって移送部材２２６もバッテリー２１２側に移送されるので、第１及び第２成形部材２３１，２３２は使用者のまつげをつまみながら閉まることになる。
【０１１５】
その後、取っ手２１１を曲げて上げれば、加熱された発熱体２３３によってまつげはその形状が容易に変わるので、使用者はまつげを所望の形状に容易に成形することができ、成形部材２３０に形成されたブラシでまつげにマスカラ液を塗布することにより、まつげにボリューム感を与えることができる利点がある。
【０１１６】
第２実施形態の第３変形例：
図１９は本発明の第２実施形態の第３変形例におけるマスカラパッケージの構造を示す縦断面図である。
【０１１７】
図１９に示すように、本発明の第２実施形態の第３変形例におけるマスカラパッケージの成形部材２３０は、互いに当接してまつげを加圧して成形するように、移送部材２２６の前端に交差して結合されたやっとこ状の第１及び第２成形部材２３１，２３２からなる。
【０１１８】
この際、第１及び第２成形部材２３１，２３２は、移送部材２２６の前端に接着剤などによって結合されるか、あるいは移送部材２２６の前端に延設されることができる。
【０１１９】
また、成形部材２３０は、第１及び第２成形部材２３１，２３２が容易に開くように、これらの間に第３弾性部材２２８ｂを装着することにより、移送部材２２６の移送の際、第３弾性部材２２８ｂの弾性力によって第１及び第２成形部材２３１，２３２が互いに広がり、第１及び第２成形部材２３１，２３２が開くことになる。
【０１２０】
第２実施形態の第４変形例：
図２０は本発明の第２実施形態の第４変形例によるマスカラパッケージの構造を示す縦断面図である。
【０１２１】
まず、図２０に示すように、本発明の第２実施形態の第４変形例によるマスカラパッケージの成形部材２３０は、互いに当接してまつげを加圧して成形するように、移送部材２２６の前端に平行に結合されたやっとこ状の第１及び第２成形部材２３１，２３２からなる。
【０１２２】
この際、ブラシ棒２２５内の移送部材２２６と結合された第１及び第２成形部材２３１，２３２の上部は互いに徐々に当接するように傾斜面になっており、第１及び第２成形部材２３１，２３２の一端部が当接する地点の前方には固定ピン２２８ａが位置する。
【０１２３】
これにより、作動部材２２２を成形部材２３０側に移送させる場合、移送部材２２６の移送によって第１及び第２成形部材２３１，２３２が前方に移送され、第１及び第２成形部材２３１，２３２の相互間の角度は、成形部材２３０が開くように、前記当接地点の前方に位置する固定ピン２２８ａによって広くなる。
【０１２４】
また、使用者は、自分のまつげを第１及び第２成形部材２３１，２３２上に置き、まつげを第１及び第２成形部材２３１，２３２によりはさみむ。その後、使用者は作動部材２２２をバッテリー２１２側に移送させ、成形部材２３０を閉じながらまつげをつまむことになる。
【０１２５】
この際、使用者は取っ手をまつげの上向きに曲げて上げれば、まつげは発熱体２３３によって加熱されることにより、使用者が所望の形状に容易に成形することができる。
【０１２６】
第２実施形態の第５変形例：
図２１は本発明の第２実施形態の第５変形例におけるマスカラパッケージの構造を示す縦断面図である。
【０１２７】
図２１に示すように、本発明の第２実施形態の第５変形例におけるマスカラパッケージの成形部材２３０は、互いに当接してまつげを加圧して成形するように、移送部材２２６の前端に平行に結合されたやっとこ状の第１及び第２成形部材２３１，２３２でなる。
【０１２８】
この際、ブラシ棒２２５内の移送部材２２６と結合された第２成形部材２３２はブラシ棒２２５と平行に形成され、ブラシ棒２２５内の第１成形部材２３１の上部には第２成形部材２３２の一端と当接する傾斜面が形成されている。
【０１２９】
また、ブラシ棒２２５内の第１及び第２成形部材２３１，２３２の当接地点の前方には、成形部材２３０が容易に開くように固定ピン２２８ａが位置している。
【０１３０】
これにより、成形部材２３０は、作動部材２２２の移送によって開閉することにより、使用者のまつげを容易に成形することができる利点がある。
【０１３１】
一方、図１５及び１６に示すように、前記第２実施形態の第２〜第５変形例においても、成形部材２３０に櫛２３４ａ，２３４ｂまたはブラシ２３４ｃを形成することができる。
【０１３２】
以上、本発明の好適な実施例について詳細に説明したが、当該技術分野で通常の知識を持った者であれば、これから多様な変形及び均等な他の実施例が可能であることを理解することができるであろう。よって、本発明の権利範囲はこれに限定されるものではなく、つぎの請求範囲で定義している本発明の基本概念を利用した当業者の多くの変形及び改良形態も本発明の権利範囲に属するものである。
【０１３３】
以上説明したように、本発明によるマスカラパッケージは、コテ（curling tong）とマスカラブラシを一体型に形成し、これらの機能を同時にすることができる発熱塗布部によってまつげを所望の形態に成形するとともに、マスカラ液がまつげに塗布して、まつげ化粧をより迅速に行える効果がある。
【０１３４】
また、マスカラパッケージは、まつげに塗布したマスカラ液を、発熱櫛を介して伝達された熱によって迅速に乾燥させるので、汗または涙などによってマスカラ液が広がるか流れることを防止することができる効果がある。
【０１３５】
また、マスカラパッケージは、発熱塗布部によって、マスカラを長期間使用しないか、気温が低意ことによってマスカラ液が固まった場合でも、マスカラ液の表面を溶かすことができるので、マスカラパッケージの寿命を延長させることができる効果がある。
【０１３６】
さらに、マスカラパッケージは、作動部材の移送によって開閉するやっとこ状（tong）の成形部材によってまつげを曲げて上げることにより、まつげを所望の形に迅速で容易に化粧を行うことができる効果がある。
【図面の簡単な説明】
【０１３７】
【図１】本発明の第１実施形態における発熱体を備えたマスカラパッケージの構造を概略的に示す分解斜視図である。
【図２】本発明の第１実施形態におけるマスカラパッケージの構造を示す縦断面図である。
【図３】本発明の第１実施形態におけるマスカラパッケージのバッテリー及び支持板を示す斜視図である。
【図４】本発明の第１実施形態の第１変形例における発熱塗布部の構造を示す底面図である。
【図５】本発明の第１実施形態の第１変形例における発熱塗布部の構造を示す断面図である。
【図６】本発明の第１実施形態の第１変形例における発熱塗布部の構造を示す断面図である。
【図７】本発明の第１実施形態の第２変形例における発熱塗布部の構造を示す底面図である。
【図８】本発明の第１実施形態の第２変形例における発熱塗布部の構造を示す断面図である。
【図９】本発明の第１実施形態の第２変形例における発熱塗布部の構造を示す断面図である。
【図１０】本発明の第１実施形態の第３変形例における発熱塗布部の構造を示す底面図である。
【図１１】本発明の第１実施形態の第３変形例における発熱塗布部の構造を示す断面図である。
【図１２】本発明の第１実施形態の第３変形例における発熱塗布部の構造を示す断面図である。
【図１３】本発明の第２実施形態の第１変形例における発熱体を備えたマスカラパッケージの構造を示す縦断面である。
【図１４】本発明の第２実施形態の第１変形例における発熱体を備えたマスカラパッケージの動作を説明する図である。
【図１５】本発明の第２実施形態の第１変形例における成形部材の構造を示す図である。
【図１６】本発明の第２実施形態の第１変形例における成形部材の構造を示す図である。
【図１７】本発明の第２実施形態の第１変形例における成形部材の構造を示す図である。
【図１８】本発明の第２実施形態の第２変形例における発熱体を備えたマスカラパッケージの構造を示す縦断面図である。
【図１９】本発明の第２実施形態の第３変形例における発熱体を備えたマスカラパッケージの構造を示す縦断面図である。
【図２０】本発明の第２実施形態の第４変形例における発熱体を備えたマスカラパッケージの構造を示す縦断面図である。
【図２１】本発明の第２実施形態の第５変形例における発熱体を備えたマスカラパッケージの構造を示す縦断面図である。
【図２２】本発明によるバッテリーの変形例を示す斜視図である。
【符号の説明】
【０１３８】
１００  発熱体を備えたマスカラパッケージ、１１  取っ手、１２  バッテリー、１７  スイッチ、２３  ブラシ棒、２５  発熱体、２７  発熱塗布部、２８  塗布軸、２９  ブラシ、３０  櫛、３１  容器、２３０  成形部材、２３３  発熱体。
【図１】
2009532083.tif 000003
【図２】
2009532083.tif 000004
【図３】
2009532083.tif 000005
【図４】
2009532083.tif 000006
【図５】
2009532083.tif 000007
【図６】
2009532083.tif 000008
【図７】
2009532083.tif 000009
【図８】
2009532083.tif 000010
【図９】
2009532083.tif 000011
【図１０】
2009532083.tif 000012
【図１１】
2009532083.tif 000013
【図１２】
2009532083.tif 000014
【図１３】
2009532083.tif 000015
【図１４】
2009532083.tif 000016
【図１５】
2009532083.tif 000017
【図１６】
2009532083.tif 000018
【図１７】
2009532083.tif 000019
【図１８】
2009532083.tif 000020
【図１９】
2009532083.tif 000021
【図２０】
2009532083.tif 000022
【図２１】
2009532083.tif 000023
【図２２】
2009532083.tif 000024
【国際調査報告】
2009532083.tif 000025
2009532083.tif 000026
2009532083.tif 000027